(57)【特許請求の範囲】
【請求項１】
タッチパネル画面に表示された操作キーが押されることによって当該操作キーに対応付けられた処理の実行を制御するタッチパネル入力装置であって、
前記タッチパネル画面に表示された複数の操作キーの多重押しを検知する多重押し検知部と、
前記多重押し検知部により前記複数の操作キーの多重押しが検知された場合、前記多重押しが検知された前記複数の操作キーのうちいずれか１つに対応付けられた処理の実行を制御する第１処理実行制御部と、
前記第１処理実行制御部により前記処理が実行されるのと並行して、前記多重押しが検知された前記複数の操作キーのうち前記第１処理実行制御部により実行される処理に対応付けられた操作キー以外の少なくとも１つに対応付けられた処理の実行がユーザに選択指示されるのを待機する待機状態とする待機部と、
前記待機部により前記待機状態とされた場合、前記選択指示を受け付ける選択指示受付部と、
前記選択指示受付部により前記選択指示が受け付けられた場合、前記第１処理実行制御部により実行されている処理に代えて、前記多重押しが検知された前記複数の操作キーに対応付けられた処理のうち前記選択指示により選択された処理の実行を制御する第２処理実行制御部とを備えることを特徴とするタッチパネル入力装置。
【請求項２】
請求項１に記載のタッチパネル入力装置において、
前記待機部は、前記多重押し検知部により前記多重押しが検知された時点から所定の時間だけ前記待機状態とすることを特徴とするタッチパネル入力装置。
【請求項３】
請求項１に記載のタッチパネル入力装置において、
前記待機部は、前記多重押しが検知された前記複数の操作キーのうち少なくとも１つに対応付けられた処理の実行を前記ユーザに選択指示させるためのアイコンを前記タッチパネル画面に表示し、
前記選択指示受付部は、前記待機部により前記タッチパネル画面に表示された前記アイコンが押された場合に、当該押されたアイコンに対応付けられた処理の実行に関する選択指示を受け付けることを特徴とするタッチパネル入力装置。
【請求項４】
請求項１に記載のタッチパネル入力装置において、
前記選択指示受付部は、前記多重押しが検知された前記複数の操作キーのうち少なくとも１つの操作キーに対応付けられた処理の実行を前記ユーザに選択指示させるための音声コマンドが入力された場合に、当該入力された音声コマンドに対応付けられた処理の実行に関する選択指示を受け付けることを特徴とするタッチパネル入力装置。
【請求項５】
請求項１に記載のタッチパネル入力装置において、
前記選択指示受付部は、前記タッチパネル画面に設定した受付領域内の任意位置が押された場合に前記選択指示を受け付けることを特徴とするタッチパネル入力装置。
【請求項６】
請求項１に記載のタッチパネル入力装置において、
前記第１処理実行制御部は、前記多重押し検知部により前記複数の操作キーの多重押しが検知された場合、前記多重押しが検知された前記複数の操作キーのうちいずれか１つに対応付けられた映像再生処理の実行を制御し、
前記待機部は、前記多重押しが検知された前記複数の操作キーのうち前記第１処理実行制御部により実行制御される映像再生処理に対応付けられた操作キー以外の少なくとも１つに対応付けられた映像再生処理の実行がユーザに選択指示されるのを待機する待機状態とし、
前記選択指示受付部により前記選択指示が受け付けられた場合、前記第１処理実行制御部により実行制御された映像再生処理を中止し、前記多重押しが検知された前記複数の操作キーに対応付けられた映像再生処理のうち前記選択指示により選択された映像再生処理を前記第２処理実行制御部により実行制御することを特徴とするタッチパネル入力装置。
【請求項７】
請求項１に記載のタッチパネル入力装置において、
前記第１処理実行制御部は、前記多重押し検知部により前記複数の操作キーの多重押しが検知された場合、前記多重押しが検知された前記複数の操作キーに対応付けられたそれぞれの映像再生処理の実行を制御し、
前記待機部は、前記多重押しが検知された前記複数の操作キーに対応付けられたそれぞれの映像再生処理の何れかの実行がユーザに選択指示されるのを待機する待機状態とし、
前記選択指示受付部により前記選択指示が受け付けられた場合、前記第１処理実行制御部により実行制御された映像再生処理を中止し、前記多重押しが検知された前記複数の操作キーに対応付けられた映像再生処理のうち前記選択指示により選択された映像再生処理を前記第２処理実行制御部により実行制御することを特徴とするタッチパネル入力装置。
【請求項８】
請求項１に記載のタッチパネル入力装置において、
前記第１処理実行制御部は、前記多重押し検知部により前記複数の操作キーの多重押しが検知された場合、前記多重押しが検知された前記複数の操作キーのうちいずれか１つに対応付けられた文字入力処理の実行を制御し、
前記待機部は、前記多重押しが検知された前記複数の操作キーのうち前記第１処理実行制御部により実行制御される文字入力処理に対応付けられた操作キー以外の少なくとも１つに対応付けられた文字入力処理の実行がユーザに選択指示されるのを待機する待機状態とし、
前記選択指示受付部により前記選択指示が受け付けられた場合、前記第１処理実行制御部により実行制御された文字入力処理で入力された文字を取り消し、前記多重押しが検知された前記複数の操作キーに対応付けられた文字入力処理のうち前記選択指示により選択された文字入力処理を前記第２処理実行制御部により実行制御することを特徴とするタッチパネル入力装置。
【請求項９】
請求項１に記載のタッチパネル入力装置において、
前記第１処理実行制御部は、前記多重押し検知部により前記複数の操作キーの多重押しが検知された場合、前記多重押しが検知された前記複数の操作キーのうちいずれか１つに対応付けられた楽曲再生処理の実行を制御し、
前記待機部は、前記多重押しが検知された前記複数の操作キーのうち前記第１処理実行制御部により実行制御される楽曲再生処理に対応付けられた操作キー以外の少なくとも１つに対応付けられた楽曲再生処理の実行がユーザに選択指示されるのを待機する待機状態とし、
前記選択指示受付部により前記選択指示が受け付けられた場合、前記第１処理実行制御部により実行制御された楽曲再生処理を中止し、前記多重押しが検知された前記複数の操作キーに対応付けられた楽曲再生処理のうち前記選択指示により選択された楽曲再生処理を前記第２処理実行制御部により実行制御することを特徴とするタッチパネル入力装置。
【請求項１０】
請求項１に記載のタッチパネル入力装置において、
前記第１処理実行制御部は、前記多重押し検知部により前記複数の操作キーの多重押しが検知された場合、前記多重押しが検知された前記複数の操作キーのうちいずれか１つに対応付けられたメニュー起動処理の実行を制御し、
前記待機部は、前記多重押しが検知された前記複数の操作キーのうち前記第１処理実行制御部により実行制御されるメニュー起動処理に対応付けられた操作キー以外の少なくとも１つに対応付けられたメニュー起動処理の実行がユーザに選択指示されるのを待機する待機状態とし、
前記選択指示受付部により前記選択指示が受け付けられた場合、前記第１処理実行制御部により起動制御されたメニューを消去し、前記多重押しが検知された前記複数の操作キーに対応付けられたメニュー起動処理のうち前記選択指示により選択されたメニュー起動処理を前記第２処理実行制御部により実行制御することを特徴とするタッチパネル入力装置。
【請求項１１】
タッチパネル画面に表示された操作キーが押されることによって当該操作キーに対応付けられた処理の実行を制御する処理実行方法であって、
前記タッチパネル画面に表示された複数の操作キーの多重押しを検知する第１のステップと、
前記第１のステップにより前記複数の操作キーの多重押しが検知された場合、前記多重押しが検知された前記複数の操作キーのうちいずれか１つに対応付けられた処理の実行を制御する第２のステップと、
前記第２のステップの処理が実行されるのと並行して、前記多重押しが検知された前記複数の操作キーのうち前記第２のステップで実行される処理に対応付けられた操作キー以外の少なくとも１つに対応付けられた処理の実行がユーザに選択指示されるのを待機する待機状態とする第３のステップと、
前記第３のステップにより前記待機状態とされた場合、前記選択指示を受け付ける第４のステップと、
前記第４のステップにより前記選択指示が受け付けられた場合、前記第２のステップにより実行されている処理に代えて、前記多重押しが検知された前記複数の操作キーに対応付けられた処理のうち前記選択指示により選択された処理の実行を制御する第５のステップとを備えることを特徴とする処理実行方法。
【発明の詳細な説明】
【技術分野】
【０００１】
本発明は、タッチパネル入力装置および処理実行方法に関し、特に、タッチパネル画面に操作キーを表示し、所定の操作キーを押して処理の実行を制御するタッチパネル入力装置および処理実行方法に関する。
【背景技術】
【０００２】
従来、タッチパネル画面に表示される操作キーをユーザが押すことで、押された操作キーに応じた操作信号を発生して、各種電子機器における処理の実行を制御するタッチパネル入力装置が知られている。ここで、タッチパネル入力装置としては、抵抗膜方式、光学方式、静電容量方式などの方式によるものが知られている。
【０００３】
また、タッチパネル入力装置としては、タッチパネル画面上において互いに近い位置に表示されている複数の操作キーがタッチ入力により選択されても、その複数の操作キーの中からユーザが意図する操作キーを効率的に特定できるようにしたものが提案されている（例えば、特許文献１を参照）。この特許文献１に記載のタッチパネル入力装置は、ユーザがタッチ入力した複数の操作キーの候補に優先順位をつけ、当該優先順位とタッチ入力の解析結果とに基づいて、複数の操作キーの候補の中からユーザが意図する一つの操作キーを特定する。
【特許文献１】特開平５−６６８８５号公報
【発明の開示】
【発明が解決しようとする課題】
【０００４】
ところで、最近の車載機器（例えば、ナビゲーション装置やＡＶ装置）には、上述したタッチパネル入力装置を採用した製品が増えている。しかしながら、車載機器に採用されているタッチパネル入力装置が備えるタッチパネル画面は、画面サイズが小さいので操作キーも小さくなる。また、タッチパネル画面において、複数の操作キーが近接している。しかも、車両の走行時に振動が生じるため、狙った位置に指を合わせづらい。よって、ユーザは、タッチパネル画面において意図する操作キーを上手く押せずに複数の操作キーにまたがって多重押ししてしまうことがある。この場合、ユーザにとって意図しない操作キーに対応付けられた処理が実行されることがある。
【０００５】
上記したように、タッチパネル画面を搭載した車両に振動が生じる場合、ユーザの指は意図に反した動きになることがある。したがって、特許文献１のようにたとえタッチ入力の解析結果等を利用したとしても、必ずしもユーザの意図する操作キーを特定できるとは限らない。
【０００６】
ユーザの意図しない操作キーに対応付けられた処理が実行されてしまった場合、ユーザは、わざわざ前の操作画面に戻って意図する操作キーを押し直す必要がある。そのため、誤ったユーザ操作（複数の操作キーの多重押し）による実行処理を取り消して、意図する操作キーに対応付けられた処理を実行し直すために、ユーザにとって無駄な操作が発生してしまい、当該ユーザの利便性を損なってしまうという問題があった。
【０００７】
次に、以上の問題について図を用いて説明する。図１３は、タッチパネル入力装置に接続されたディスプレイユニットの表示パネルに表示されるタッチパネル画面の一例を示す図である。図１３に示すように、タッチパネル画面（操作画面）１０には、いずれかのチャプターの映像再生処理の実行をユーザに選択させるための９つのサムネイル画像（操作キー）が表示されている。各サムネイル画像は、チャプターの先頭内容を示している。
【０００８】
例えば、操作画面１０において意図する操作キー（例えば、３番）を押すことでＤＶＤに収録済みの映画のチャプターを再生する場合、間違って複数の操作キー（３番、６番）の多重押しをしてしまうと、ユーザにとって意図しない操作キー（６番）に対応付けられたチャプターが再生されてしまうことがある。この場合、ユーザはわざわざ前の操作画面１０に戻って意図する操作キー（３番）を押し直すという無駄な操作が発生してしまい、ユーザの利便性を損なってしまう。
【０００９】
また、操作画面１０に表示されたサムネイル画像を見るだけでは、どのサムネイル画像が目的のチャプターか判らないとき、ある程度あたりをつけていずれかの操作キー（サムネイル画像）を試しに押してみることによって、その実行結果を確認してみることがある。しかしながら、再生されたチャプターが目的のチャプターでなかった場合、ユーザは、意図しないチャプターが再生されるごとに、わざわざ前の操作画面１０に戻って他の操作キーを押し直す必要があるため、ユーザの利便性を損なってしまう。
【００１０】
本発明は、このような問題を解決するために成されたものであり、タッチパネル画面に表示された操作キーを押すことによって当該操作キーに対応付けられた処理を実行する場合において、複数の操作キーの多重押しによる意図しない処理の実行を取り消して、意図する操作キーに対応付けられた処理を実行し直すとき、ユーザにとって無駄な操作をできるだけなくしユーザの利便性を向上させることができるようにすることを目的とする。
【００１１】
また、本発明は、タッチパネル画面に表示された操作キーを押すことによって当該操作キーに対応付けられた処理を実行する場合において、ユーザの意図する処理を確認して実行するとき、ユーザにとって無駄な操作をできるだけなくしユーザの利便性を向上させることができるようにすることを目的とする。
【課題を解決するための手段】
【００１２】
上記した課題を解決するために、本発明では、タッチパネル画面に表示された複数の操作キーの多重押しが検知された場合、当該複数の操作キーのうちいずれか１つに対応付けられた処理の実行を制御し、その処理が実行されるのと並行して、当該複数の操作キーのうち実行中の処理に対応付けられた操作キー以外の少なくとも１つに対応付けられた処理の実行がユーザに選択指示されるのを待機する待機状態とし、選択指示が受け付けられた場合、上記実行中の処理に代えて、当該選択指示が受け付けられた処理を実行するようにしている。
【発明の効果】
【００１３】
上記のように構成した本発明によれば、複数の操作キーを多重押ししてしまうことによりユーザの意図しない操作キーに対応付けられた処理が間違って実行されたとしても、多重押しの後に続けて、当該多重押しした複数の操作キーに対応付けられた処理の実行が選択指示できる状態になっている。よって、わざわざ前の操作画面に戻って意図する操作キーを押し直すことなく、複数の操作キーの多重押しによる意図しない処理の実行を取り消して、意図する操作キーに対応付けられた処理を実行し直すことができる。これにより、ユーザにとって無駄な操作をできるだけなくし、ユーザの利便性を向上させることができる。
【００１４】
また、どの操作キーが目的の処理に対応する操作キーなのかわからない場合、ある程度あたりをつけて複数の操作キーを多重押しすれば、当該複数の操作キーに対応付けられた処理が一度に実行される。このとき、一度に実行されている処理の何れかを選択指示できる状態となっている。よって、多重押しにより目的の処理がどれなのか確認して、その多重押しに続けて意図する処理を選択指示するための操作を行うことにより、わざわざ前の操作画面に戻って別の操作キーを押し直すことなく、ユーザの意図する目的の処理を実行することができる。よって、ユーザの意図する処理を確認して実行するとき、ユーザにとって無駄な操作をできるだけなくし、ユーザの利便性を向上させることができる。
【発明を実施するための最良の形態】
【００１５】
以下、本発明の第１の実施形態を図面に基づいて説明する。図１は、第１の実施形態によるタッチパネル入力装置１２０を含むＤＶＤ再生システム１００の構成例を示すブロック図である。図１に示すように、ＤＶＤ再生システム１００は、タッチパネル入力装置１２０、ディスプレイ１４０、ＤＶＤ再生装置１６０および計時装置１８０を備えて構成されている。また、タッチパネル入力装置１２０は、状態判定部２００、操作制御部２２０、待機部２４０および選択指示受付部２６０を備えて構成されている。また、ディスプレイ１４０は、表示パネル２８０、タッチパネル３００および操作検出部３２０を備えて構成されている。
【００１６】
ＤＶＤ再生装置１６０は、複数の操作キー（いずれかのチャプターの映像再生処理の実行をユーザに選択させるためのサムネイル画像）を含む操作メニューや、ＤＶＤ再生システム１００のアプリケーションとして利用されるＤＶＤ再生画像などを生成し、それらの表示パネル２８０上での表示を制御する。また、ディスプレイ１４０を構成する表示パネル２８０は、ＤＶＤ再生装置１６０により生成された操作メニューやＤＶＤ再生画像などを表示する。
【００１７】
タッチパネル３００は、表示パネル２８０に表示された操作メニュー中の操作キーや後述するアイコンに対するユーザの操作を受け付けるものである。また、操作検出部３２０は、タッチパネル３００上の任意の位置がユーザにより押された場合に、タッチパネル３００上における押下位置を検出し、その押下位置を示す押下位置情報を状態判定部２００に出力する。
【００１８】
状態判定部２００は、操作検出部３２０から出力された押下位置情報を入力する。また、状態判定部２００は、表示パネル２８０に表示された操作メニュー中の操作キー（サムネイル画像）に対応するタッチパネル３００上の位置がユーザにより押された場合、操作検出部３２０から入力した押下位置情報に対応付けられた操作キーを示す操作キー情報を操作制御部２２０に出力する。なお、状態判定部２００は、押下位置情報と操作キー情報との対応関係が定義されたテーブル（図示せず）を有している。
【００１９】
また、状態判定部２００は、特許請求の範囲の多重押し検知部の機能を備えている。すなわち、状態判定部２００は、操作検出部３２０から入力した押下位置情報に基づいてタッチパネル３００に対して多重押しがされたか否かについて判定する。例えば、状態判定部２００が操作検出部３２０から複数の押下位置情報をほぼ同じタイミングに入力した場合には、状態判定部２００は、タッチパネル３００に対して多重押しがされたと判定する。また、状態判定部２００が操作検出部３２０から複数の押下位置情報をほぼ同じタイミングに入力していない（すなわち、１つの押下位置情報のみを入力した）場合には、状態判定部２００は、タッチパネル３００に対して多重押しがされていないと判定する。
【００２０】
状態判定部２００にてタッチパネル３００に対して多重押しがされたと判定した場合、状態判定部２００は、当該多重押しがされた旨を示す多重押し通知情報を計時装置１８０に出力する。さらに、状態判定部２００は、操作検出部３２０から入力した複数の押下位置情報に対応付けられた複数の操作キー情報を操作制御部２２０および待機部２４０に出力する。
【００２１】
また、状態判定部２００は、後述する待機部２４０により表示パネル２８０に表示されたアイコンに対応するタッチパネル３００上の位置がユーザにより押された場合、タッチパネル３００上における押下位置を示す押下位置情報を操作検出部３２０から入力し、その入力した押下位置情報により示されるアイコンに対応付けられた操作キー情報を選択指示受付部２６０に出力する。
【００２２】
なお、状態判定部２００は、多重押しがされたことを検知したときにそのことを示す多重押し検知情報を保持することにより、当該多重押し検知情報の有無によって、タッチパネル３００上でユーザにより押された位置が操作メニュー中の操作キー（サムネイル画像）に対応するのか表示パネル２８０に表示されたアイコンに対応するのかを判別する。
【００２３】
計時装置１８０は、状態判定部２００から多重押し通知情報を入力した時点からの経過時間を計測し、当該計測した経過時間を示す経過時間情報を待機部２４０に出力する。以下、計時装置１８０が状態判定部２００から多重押し通知情報を入力した時点を「多重押しが検知された時点」と定義する。
【００２４】
操作制御部２２０は、特許請求の範囲の第１処理実行制御部および第２処理実行制御部の機能を備えている。操作制御部２２０は、状態判定部２００から操作キー情報を入力し、当該入力した操作キー情報により示される処理を行うように制御する操作信号をＤＶＤ再生装置１６０に出力する。なお、操作制御部２２０は、操作キー情報とＤＶＤ再生装置１６０を制御する操作信号との対応関係が定義されたテーブル（図示せず）を有している。
【００２５】
また、操作制御部２２０が状態判定部２００から複数の操作キー情報を入力した場合（すなわち、タッチパネル３００に対して多重押しがされた場合）、第１処理実行制御部は、当該複数の操作キー情報のうちいずれか１つの操作キー情報を選択し、当該選択した操作キー情報に応じた映像再生処理を行うように制御する操作信号をＤＶＤ再生装置１６０に出力する。また、第１処理実行制御部は、実行するものとして選択した操作キーを示す実行操作キー情報を待機部２４０に出力する。
【００２６】
状態判定部２００から複数の操作キー情報を入力した場合の選択は、例えば以下のようにして行う。すなわち、第１処理実行制御部は、複数の操作キー情報のうちいずれか１つの操作キー情報を選択する際の優先順位が定義された優先順位テーブル（図示せず）を参照して、当該複数の操作キー情報のうち最も優先順位の高い操作キー情報を選択する。なお、操作制御部２２０は優先順位テーブルを有している。
【００２７】
また、操作制御部２２０は、選択指示受付部２６０から後述する選択操作キー情報を入力する。選択操作キー情報を入力した場合、第１処理実行制御部は、実行中の映像再生処理を中止するための制御信号をＤＶＤ再生装置１６０に出力する。また、第２処理実行制御部は、選択指示受付部２６０から入力した選択操作キー情報に示される操作キーに応じた映像再生処理を行うように制御する操作信号をＤＶＤ再生装置１６０に出力する。
【００２８】
待機部２４０は、状態判定部２００から複数の操作キー情報を入力する。また、待機部２４０は、操作制御部２２０から実行操作キー情報を入力する。また、待機部２４０は、計時装置１８０から経過時間情報を入力する。待機部２４０は、状態判定部２００から複数の操作キー情報を入力した場合、多重押しが検知された時点から所定の時間（例えば、２秒）だけ、状態判定部２００から入力した複数の操作キー情報のうち、操作制御部２２０から入力した実行操作キー情報以外の少なくとも１つに応じた映像再生処理の実行がユーザに選択指示されるのを待機する待機状態とする。以下、待機状態となっている少なくとも１つの操作キーを待機状態操作キーという。
【００２９】
例えば、待機部２４０が状態判定部２００から２つの操作キー情報を入力した場合（すなわち、２つの操作キーが多重押しされた場合）、待機部２４０は、２つの操作キー情報により示される２つの操作キーのうち、操作制御部２２０から入力した実行操作キー情報に示される操作キーとは異なる１つの操作キーに応じた映像再生処理の実行がユーザに選択指示されるのを待機する状態に設定する。
【００３０】
また、待機部２４０が状態判定部２００から３つの操作キー情報を入力した場合（すなわち、３つの操作キーが多重押しされた場合）、待機部２４０は、３つの操作キー情報により示される３つの操作キーのうち、操作制御部２２０から入力した実行操作キー情報に示される操作キーとは異なる２つの操作キーに応じた映像再生処理の実行がユーザに選択指示されるのを待機する状態に設定する。
【００３１】
また、待機部２４０は、待機状態に設定するときに、待機状態操作キーに応じた映像再生処理の実行をユーザに選択させるためのアイコンを生成して表示パネル２８０に表示する。例えば、待機部２４０は、状態判定部２００から２つの操作キー情報を入力した場合、多重押しされた２つの操作キーのうち操作制御部２２０から入力した実行操作キー情報に示される操作キーとは異なる１つの待機状態操作キーに応じた映像再生処理の実行をユーザに選択させるためのアイコンを生成して表示パネル２８０に表示する。
【００３２】
また、待機部２４０は、状態判定部２００から３つの操作キー情報を入力した場合、多重押しされた３つの操作キーのうち操作制御部２２０から入力した実行操作キー情報に示される操作キーとは異なる２つの待機状態操作キーに応じた映像再生処理の実行をユーザに選択させるための２つのアイコンを生成して表示パネル２８０に表示する。このとき、待機部２４０は、生成した２つのアイコンを同時に表示（すなわち、２つの待機状態操作キーに応じた映像再生処理の実行がユーザに選択指示されるのを同じタイミングで待機する状態に設定）しても良いし、２つのアイコンを一定時間ずつ順に表示（すなわち、２つの待機状態操作キーに応じた映像再生処理の実行がユーザに選択指示されるのを時間をずらしながら順番に待機する状態に設定）しても良い。
【００３３】
また、待機部２４０は、計時装置１８０から入力した経過時間情報を参照して、多重押しが検知された時点から表示パネル２８０に表示したアイコンがユーザに押されることなく所定の時間が経過した場合、待機状態の設定を解除して、表示パネル２８０に表示していたアイコンを消去する。
【００３４】
また、待機部２４０は、待機状態に設定したときに、少なくとも１つの待機状態操作キーを示す待機状態操作キー情報を選択指示受付部２６０に出力する。例えば、待機部２４０が状態判定部２００から２つの操作キー情報を入力した場合、待機部２４０は、１つの待機状態操作キーを示す待機状態操作キー情報を選択指示受付部２６０に出力する。
【００３５】
また、待機部２４０は、状態判定部２００から３つの操作キー情報を入力した場合、２つの待機状態操作キーを示す待機状態操作キー情報を選択指示受付部２６０に出力する。このとき、生成した２つのアイコンを表示パネル２８０に同時に表示するときには、当該２つのアイコンに対応する２つの待機状態操作キーを示す２つの待機状態操作キー情報を選択指示受付部２６０に同時に出力する。一方、生成した２つのアイコンを一定時間ずつ順に表示するときには、待機部２４０は、当該２つのアイコンに対応する２つの待機状態操作キーを示す２つの待機状態操作キー情報を１つずつ順にアイコンの表示時間と合わせて選択指示受付部２６０に出力する。
【００３６】
選択指示受付部２６０は、待機部２４０から待機状態操作キー情報を入力し、当該入力した待機状態操作キー情報に示される待機状態操作キーに応じた映像再生処理の実行に関するユーザの選択指示入力を受け付ける。具体的には、選択指示受付部２６０は、待機部２４０により表示パネル２８０に表示されたアイコンが押された場合に、当該押されたアイコンに対応する待機状態操作キーに応じた映像再生処理の実行に関する選択指示を受け付ける。
【００３７】
具体的に説明すると、待機部２４０により表示パネル２８０に表示されたアイコンに対応するタッチパネル３００上の位置がユーザにより押された場合、操作検出部３２０は、タッチパネル３００上における押下位置を示す押下位置情報を状態判定部２００に出力する。状態判定部２００は、多重押し検知情報が保持されているか否かを参照することにより、タッチパネル３００上でユーザにより押された位置が表示パネル２８０に表示されたアイコンの位置に対応すると判別した場合、操作検出部３２０から入力した押下位置情報に対応付けられている操作キー情報を選択指示受付部２６０に出力する。選択指示受付部２６０は、状態判定部２００から操作キー情報を入力した場合に、当該入力した操作キー情報により示される操作キーに応じた映像再生処理の実行に関する選択指示を受け付ける。
【００３８】
また、選択指示受付部２６０は、状態判定部２００から入力した操作キー情報により示される操作キーを示す選択操作キー情報を操作制御部２２０に出力する。操作制御部２２０が選択操作キー情報を入力した場合、第１処理実行制御部は、実行中の映像再生処理を中止するための制御信号をＤＶＤ再生装置１６０に出力する。また、第２処理実行制御部は、選択指示受付部２６０から入力した選択操作キー情報に示される操作キーに応じた映像再生処理を行うように制御する操作信号をＤＶＤ再生装置１６０に出力する。
【００３９】
次に、上記のように構成した第１の実施形態によるタッチパネル入力装置１２０の動作の概要について図を用いて説明する。図２は、第１の実施形態によるタッチパネル入力装置１２０の表示パネル２８０に表示されるタッチパネル画面の一例を示す図である。図２（ａ）において、タッチパネル画面４００には、いずれかのチャプターの映像再生処理の実行をユーザに選択させるための９つのサムネイル画像（操作キー）が表示されている。ユーザは、いずれかの操作キーに割り当てられた領域内の任意位置を押すことで、ユーザが意図するチャプターの映像再生処理を実行することができる。
【００４０】
ここで、ユーザが意図に反して「チャプター５」および「チャプター８」に対応付けられた２つの操作キーを多重押ししてしまった場合（ユーザの指４２０を参照）には、状態判定部２００は、「チャプター５」および「チャプター８」に対応付けられた２つの操作キーを示す２つの操作キー情報を操作制御部２２０に出力する。操作制御部２２０の第１処理実行制御部は、状態判定部２００から入力した２つの操作キー情報により示される２つの操作キーのうち優先順位が高い方の操作キーを選択し、当該選択した操作キーに対応付けられたチャプターの映像再生処理を行うように制御する操作信号をＤＶＤ再生装置１６０に出力する。
【００４１】
図２（ｂ）に示す例では、上記した優先順位テーブルに従って「チャプター５」の映像再生処理を行うようにＤＶＤ再生装置１６０を制御する操作信号が操作制御部２２０により出力される。ＤＶＤ再生装置１６０は、操作制御部２２０から操作信号を入力し、「チャプター５」のＤＶＤ再生画像を生成して表示パネル２８０に表示する。
【００４２】
図２（ａ）のように多重押しがされた場合、状態判定部２００は、「チャプター５」および「チャプター８」に対応付けられた２つの操作キーを示す２つの操作キー情報を待機部２４０に出力する。また、操作制御部２２０は、第１処理実行制御部により選択された「チャプター５」に対応付けられた操作キーを示す実行操作キー情報を待機部２４０に出力する。これを受けて、待機部２４０は、「チャプター８」に対応付けられた操作キーに応じた映像再生処理の実行がユーザに選択指示されるのを待機する状態に設定する。具体的には、図２（ｂ）に示すように、「チャプター８」に対応付けられた操作キーに応じた映像再生処理の実行をユーザに選択させるためのアイコン４６０をタッチパネル画面４４０に表示する。また、待機部２４０は、「チャプター８」に対応付けられた操作キーを示す待機状態操作キー情報を選択指示受付部２６０に出力する。
【００４３】
もし、「チャプター５」および「チャプター８」に対応付けられた２つの操作キーが多重押しされた時点から、タッチパネル画面４４０に表示されたアイコン４６０が押されることなく所定の時間（２秒）が経過した場合には、待機部２４０は、タッチパネル画面４４０に表示していたアイコン４６０を消去するとともに、「チャプター８」に対応付けられた操作キーに応じた映像再生処理の実行の待機状態を解除する。具体的には、図２（ｃ）に示すように、タッチパネル画面４４０に表示されていたアイコン４６０が消去される（待機部２４０により成された待機状態が終了する）。そして、待機部２４０は、「チャプター８」に対応付けられた操作キーに応じた映像再生処理の実行の待機状態を解除した旨を選択指示受付部２６０に通知する。
【００４４】
一方、「チャプター５」および「チャプター８」に対応付けられた２つの操作キーが多重押しされた時点から所定の時間が経過する前に、タッチパネル画面４４０に表示されたアイコン４６０がユーザにより押された場合には、選択指示受付部２６０は、「チャプター８」に対応付けられた操作キーを示す選択操作キー情報を操作制御部２２０に出力する。
【００４５】
これを受けて、操作制御部２２０の第１処理実行制御部は、「チャプター５」の映像再生処理を中止するための操作信号をＤＶＤ再生装置１６０に出力する。また、第２処理実行制御部は、選択指示受付部２６０から入力した選択操作キー情報に対応付けられた「チャプター８」の映像再生処理を行うように制御する操作信号をＤＶＤ再生装置１６０に出力する。これにより、ＤＶＤ再生装置１６０は、「チャプター８」のＤＶＤ再生画像を生成して表示パネル２８０に表示する。具体的には、図２（ｄ）に示すように、「チャプター５」に代えて「チャプター８」の映像が再生される。
【００４６】
次に、第１の実施形態におけるタッチパネル入力装置１２０の動作の詳細について図を用いて説明する。図３は、第１の実施形態によるタッチパネル入力装置１２０の動作例を示すフローチャートである。図３におけるステップＳ１００の処理は、タッチパネル３００上の各操作キー（サムネイル画像）に割り当てられた領域内の任意位置がユーザに押された場合、状態判定部２００が操作検出部３２０から出力された押下位置情報を入力することによって開始する。
【００４７】
まず、状態判定部２００は、タッチパネル３００に対して多重押しがされたか否かについて判定する（ステップＳ１００）。もし、タッチパネル３００に対して多重押しがされていないと状態判定部２００にて判定した場合（ステップＳ１００にてＮＯ）、状態判定部２００は、操作検出部３２０から入力した押下位置情報に対応付けられた操作キー情報を操作制御部２２０に出力する。操作制御部２２０は、状態判定部２００から入力した操作キー情報に示される操作キーに応じたチャプターの映像再生処理を行うように制御する操作信号をＤＶＤ再生装置１６０に出力する（ステップＳ１２０）。ステップＳ１２０における処理が終了した後、タッチパネル入力装置１２０における処理は終了する。
【００４８】
一方、タッチパネル３００に対して多重押しがされたと状態判定部２００にて判定した場合（ステップＳ１００にてＹＥＳ）、状態判定部２００は、複数の操作キー情報を操作制御部２２０に出力する。これを受けて、操作制御部２２０の第１処理実行制御部は、多重押しされた複数の操作キーのうちいずれか１つを選択し、当該選択した操作キーに応じたチャプターの映像再生処理を行うように制御する操作信号をＤＶＤ再生装置１６０に出力する（ステップＳ１４０）。
【００４９】
次に、待機部２４０は、多重押しされた複数の操作キーのうちステップＳ１４０にて操作制御部２２０により選択された操作キー以外の操作キーに応じたチャプターの映像再生処理の実行がユーザに選択指示されるのを待機する待機状態とする（ステップＳ１６０）。例えば、待機部２４０が状態判定部２００から２つの操作キー情報を入力した場合、待機部２４０は、操作制御部２２０から入力した実行操作キー情報に示される操作キーとは異なる１つの操作キーに応じた映像再生処理の実行がユーザに選択指示されるのを待機する状態に設定する。
【００５０】
次に、操作制御部２２０は、待機状態操作キーに応じたチャプターの映像再生処理の実行に関するユーザの選択指示が選択指示受付部２６０により受け付けられたか否かについて判定する（ステップＳ１８０）。もし、選択指示受付部２６０によりユーザの選択指示が受け付けられたと操作制御部２２０にて判定した場合（ステップＳ１８０にてＹＥＳ）、待機部２４０は待機状態の設定を解除する（ステップＳ２００）。次に、操作制御部２２０の第１処理実行制御部は、ステップＳ１４０にて実行された映像再生処理の中止を制御するための制御信号をＤＶＤ再生装置１６０に出力する（ステップＳ２２０）。次に、操作制御部２２０は、ステップＳ１８０にて選択された映像再生処理を行うように制御する操作信号をＤＶＤ再生装置１６０に出力する（ステップＳ２４０）。ステップＳ２４０における処理が終了した後、タッチパネル入力装置１２０における処理は終了する。
【００５１】
一方、選択指示受付部２６０によりユーザの選択指示が受け付けられていないと操作制御部２２０にて判定した場合（ステップＳ１８０にてＮＯ）、待機部２４０は、計時装置１８０から入力した経過時間情報を参照して、多重押しが検知された時点から所定の時間（例えば、２秒）が経過したか否かについて判定する（ステップＳ２６０）。もし、多重押しが検知された時点から所定の時間が経過していないと待機部２４０にて判定した場合（ステップＳ２６０にてＮＯ）、ステップＳ１８０に戻る。
【００５２】
一方、多重押しが検知された時点から所定の時間が経過したと待機部２４０にて判定した場合（ステップＳ２６０にてＹＥＳ）、待機部２４０は、ステップＳ１６０にて設定した待機状態を解除する（ステップＳ２８０）。ステップＳ２８０における処理が終了した後、タッチパネル入力装置１２０における処理は終了する。
【００５３】
以上詳しく説明したように、第１の実施形態では、複数の操作キーの多重押しが検知された場合、当該複数の操作キーのうちいずれか１つに対応付けられた映像再生処理の実行を制御し、他の操作キーに対応付けられた映像再生処理の実行をユーザが選択指示するためのアイコン４６０を表示して、アイコン４６０が押されるのを待機する。その後、アイコン４６０が押された場合には、そのアイコン４６０の押下により選択された映像再生処理の実行に切り替える。
【００５４】
これにより、複数の操作キーを多重押ししてしまうことによりユーザの意図しない操作キーに対応付けられたチャプターの映像再生処理が間違って実行されたとしても、多重押しの後に続けて、当該多重押しされた他の操作キーに対応付けられた他のチャプターの映像再生処理の実行をアイコン４６０の押下により指示することができる。よって、わざわざ前の操作画面に戻って意図する操作キーを押し直すことなく、意図しない映像再生処理の実行を取り消して、意図する操作キーに対応付けられた映像再生処理を実行し直すことができる。これにより、ユーザにとって無駄な操作をできるだけなくし、ユーザの利便性を向上させることができる。
【００５５】
また、第１の実施形態によれば、多重押しが検知された時点から所定の時間（２秒）だけ待機状態に設定されるので、多重押しがされた場合でもユーザの意図するチャプターの映像が再生された場合には、そのまま何もせずにいれば良い。この場合、所定の時間が経過した時点で、表示パネル２８０に表示されていたアイコン４６０が消去される。このため、表示パネル２８０においていつまでも不要になったアイコン４６０が表示され続けるのをなくすことができる。
【００５６】
なお、上記第１の実施形態では、操作制御部２２０が優先順位テーブルを参照して、多重押しされた複数の操作キーのうち最も優先順位の高い操作キーを選択する例について説明したが、いずれか１つの操作キーを選択する基準はこれに限定されない。例えば、操作検出部３２０がユーザにより押された押下面積を操作キー毎に検知可能な場合には、操作制御部２２０は、当該押下面積を示す面積情報を操作検出部３２０から入力し参照することによって、複数の操作キーのうち最も押下面積の大きい押下位置に対応付けられた操作キーを選択しても良い。
【００５７】
また、操作検出部３２０がユーザにより押された際の押下圧力を操作キー毎に検知可能な場合には、操作制御部２２０は、当該押下圧力を示す押下圧力情報を操作検出部３２０から入力し参照することによって、複数の操作キーのうち最も押下圧力の大きい押下位置に対応付けられた操作キーを選択しても良い。また、操作検出部３２０がユーザにより押されたタイミングを操作キー毎に検知可能な場合には、操作制御部２２０は、当該タイミングを示すタイミング情報を操作検出部３２０から入力し参照することによって、複数の操作キーのうち最も押されたタイミングの早い押下位置に対応付けられた操作キーを選択しても良い。
【００５８】
また、上記第１の実施形態では、待機部２４０が表示パネル２８０にアイコン４６０を表示することによって待機状態を設定する例について説明したが、待機状態の態様はこれに限定されない。例えば、表示パネル２８０にアイコン４６０を表示せずに、タッチパネル３００に設定した受付領域内の任意位置が押された場合に選択指示を受け付けるようにしても良い。ここで、受付領域は、図２の例で言うとタッチパネル画面４４０の全体に該当する。また、タッチパネル画面の一部に早送りや停止などの操作メニューも併せて表示されている場合には、その操作メニューが表示されている以外の領域を受付領域とする。
【００５９】
また、上記第１の実施形態では、待機部２４０は、状態判定部１８０により多重押しが検知された時点から所定の時間だけ待機状態とする例について説明したが、待機部２４０は、状態判定部１８０により多重押しが検知された時点から時間を限定せずに待機状態とするようにしても良い。これは、アイコンを非表示にして受付領域を設ける場合に特に有効である。
【００６０】
また、第１の実施形態では、操作画面において意図する操作キーを押すことでＤＶＤに収録済みの映画のチャプターを再生する例について説明したが、操作画面において意図する操作キーを押すことで放送局から受信した放送データを再生するようにしても良い。具体的には、ＤＶＤ再生装置１６０に代えてＴＶチューナーを備える。ＴＶチューナーは、いずれかの放送局から受信した放送データの再生処理の実行をユーザに選択させるための複数（例えば、９つ）の動画像または静止画像（操作キー）をタッチパネル画面（操作画面）に表示するように制御する（マルチウィンドウ）。ユーザは、いずれかの操作キーに割り当てられた領域内の任意位置を押すことで、ユーザが意図する放送局から受信した放送データの再生処理を実行することができる。
【００６１】
次に、本発明の第２の実施形態を図面に基づいて説明する。図４は、第２の実施形態によるタッチパネル入力装置１２０を含むナビゲーションシステム１００ａの構成例を示すブロック図である。なお、この図４において、図１に示した符号と同一の符号を付したものは同様の機能を有するものであるので、ここでは重複する説明を省略する。第２の実施形態においては、図１のＤＶＤ再生装置１６０の代わりにナビゲーション装置１６０ａを備えている。
【００６２】
ナビゲーション装置１６０ａは、複数の操作キー（いずれかの文字の入力処理の実行をユーザに選択させるためのキー）を含む目的地入力画面画像を生成し、その表示パネル２８０上での表示を制御する。また、ディスプレイ１４０を構成する表示パネル２８０は、ナビゲーション装置１６０ａにより生成された目的地入力画面画像を表示する。
【００６３】
図５は、第２の実施形態によるタッチパネル入力装置１２０の表示パネル２８０に表示されるタッチパネル画面の一例を示す図である。図５（ａ）において、タッチパネル画面５００には、ナビゲーション装置１６０ａが備えるルート探索機能を用いて目的地までの道順を検索する場合に当該目的地を指定する文字（アルファベット）を入力するための操作キー（文字「Ａ」〜「Ｚ」）が表示されている。ユーザは、いずれかの操作キー（文字）に割り当てられた領域内の任意位置を押すことで、ユーザが意図する文字の入力処理を実行することができる。
【００６４】
ここで、ユーザが意図に反して文字「Ｂ」および「Ｋ」に対応付けられた２つの操作キーを多重押ししてしまった場合（ユーザの指５２０を参照）には、状態判定部２００は、文字「Ｂ」および「Ｋ」に対応付けられた２つの操作キーを示す２つの操作キー情報を操作制御部２２０に出力する。操作制御部２２０の第１処理実行部は、状態判定部２００から入力した２つの操作キー情報により示される２つの操作キーのうち優先順位が高い方の操作キーを選択し、当該選択した操作キーに応じた文字入力処理を行うように制御する操作信号をナビゲーション装置１６０ａに出力する。
【００６５】
図５（ｂ）に示す例では、上記した優先順位テーブルに従って文字「Ｂ」の入力処理を行うようにナビゲーション装置１６０ａを制御する操作信号が操作制御部２２０により出力される。ナビゲーション装置１６０ａは、操作制御部２２０から操作信号を入力し、文字「Ｂ」を入力した目的地入力画面画像を生成して表示パネル２８０に表示する。
【００６６】
図５（ａ）のように多重押しがされた場合、状態判定部２００は、文字「Ｂ」および「Ｋ」に対応付けられた２つの操作キーを示す２つの操作キー情報を待機部２４０に出力する。また、操作制御部２２０は、第１処理実行制御部により選択された文字「Ｂ」に対応付けられた操作キーを示す実行操作キー情報を待機部２４０に出力する。これを受けて、待機部２４０は、多重押しされた他の文字「Ｋ」の文字入力処理の実行がユーザに選択指示されるのを待機する状態に設定する。具体的には、図５（ｂ）に示すように、文字「Ｋ」の文字入力処理の実行をユーザに選択させるためのアイコン５４０をタッチパネル画面５６０に表示する。また、待機部２４０は、文字「Ｋ」に対応付けられた操作キーを示す待機状態操作キー情報を選択指示受付部２６０に出力する。
【００６７】
もし、文字「Ｂ」および「Ｋ」に対応付けられた２つの操作キーが多重押しされた時点から、タッチパネル画面５６０に表示されたアイコン５４０が押されることなく所定の時間（２秒）が経過した場合には、待機部２４０は、タッチパネル画面５６０に表示していたアイコン５４０を消去するとともに待機状態の設定を解除する。具体的には、図５（ｃ）に示すように、タッチパネル画面５６０に表示されていたアイコン５４０が消去される（待機部２４０により設定された待機状態が解除される）。そして、待機部２４０は、文字「Ｋ」に対応付けられた操作キーに応じた文字入力処理の実行の待機状態を解除した旨を選択指示受付部２６０に通知する。
【００６８】
一方、文字「Ｂ」および「Ｋ」に対応付けられた２つの操作キーが多重押しされた時点から所定の時間が経過する前にタッチパネル画面５６０に表示されたアイコン５４０（文字「Ｋ」に対応）がユーザにより押された場合、選択指示受付部２６０は、文字「Ｋ」に対応付けられた操作キーを示す選択操作キー情報を操作制御部２２０に出力する。
【００６９】
これを受けて、操作制御部２２０の第１処理実行制御部は、文字「Ｂ」の文字入力処理を取り消すための操作信号をナビゲーション装置１６０ａに出力する。また、第２処理実行制御部は、文字「Ｋ」の文字入力処理を行うための操作信号をナビゲーション装置１６０ａに出力する。これにより、ナビゲーション装置１６０ａは、文字「Ｂ」を消して文字「Ｋ」を入力した目的地入力画面画像を生成して表示パネル２８０に表示する。具体的には、図５（ｄ）に示すように、文字「Ｂ」に代えて文字「Ｋ」が目的地入力画面画像に表示される。
【００７０】
図６は、第２の実施形態によるタッチパネル入力装置１２０の表示パネル２８０に表示されるタッチパネル画面の他の例を示す図である。図６（ａ）において、タッチパネル画面６００には、ナビゲーション装置１６０ａが備えるルート探索機能を用いて目的地までの道順を検索する場合に所望の検索メニューを起動するための操作キー（「名前」、「電話番号」、「住所」）が表示されている。ユーザは、いずれかの操作キー（検索メニュー）に割り当てられた領域内の任意位置を押すことで、ユーザが意図する検索メニューの起動処理を実行することができる。
【００７１】
ここで、ユーザが意図に反して検索メニュー「名前」および「電話番号」に対応付けられた２つの操作キーを多重押ししてしまった場合（ユーザの指６２０を参照）には、状態判定部２００は、検索メニュー「名前」および「電話番号」に対応付けられた２つの操作キーを示す２つの操作キー情報を操作制御部２２０に出力する。操作制御部２２０の第１処理実行制御部は、状態判定部２００から入力した２つの操作キー情報により示される２つの操作キーのうち優先順位が高い方の操作キーを選択し、当該選択した操作キーに応じたメニュー起動処理を行うように制御する操作信号をナビゲーション装置１６０ａに出力する。
【００７２】
図６（ｂ）に示す例では、上記した優先順位テーブルに従って、検索メニュー「名前」の起動処理を行うようにナビゲーション装置１６０ａを制御する操作信号が操作制御部２２０により出力される。ナビゲーション装置１６０ａは、操作制御部２２０から操作信号を入力し、検索メニュー「名前」を起動した画面画像を生成して表示パネル２８０に表示する。
【００７３】
図６（ａ）のように多重押しがされた場合、状態判定部２００は、検索メニュー「名前」および「電話番号」に対応付けられた操作キーを示す２つの操作キー情報を待機部２４０に出力する。また、操作制御部２２０は、第１処理実行制御部により選択された検索メニュー「名前」に対応付けられた操作キーを示す実行操作キー情報を待機部２４０に出力する。これを受けて、待機部２４０は、検索メニュー「電話番号」のメニュー起動処理の実行がユーザに選択指示されるのを待機する状態に設定する。具体的には、図６（ｂ）に示すように、検索メニュー「電話番号」のメニュー起動処理の実行をユーザに選択させるためのアイコン６４０をタッチパネル画面６６０に表示する。また、待機部２４０は、検索メニュー「電話番号」に対応付けられた操作キーを示す待機状態操作キー情報を選択指示受付部２６０に出力する。
【００７４】
もし、検索メニュー「名前」および「電話番号」に対応付けられた２つの操作キーが多重押しされた時点から、タッチパネル画面６６０に表示されたアイコン６４０が押されることなく所定の時間（２秒）が経過した場合には、待機部２４０は、タッチパネル画面６６０に表示していたアイコン６４０を消去するとともに待機状態の設定を解除する。具体的には、図６（ｃ）に示すように、タッチパネル画面６６０に表示されていたアイコン６４０が消去される（待機部２４０により設定された待機状態が解除される）。そして、待機部２４０は、検索メニュー「電話番号」のメニュー起動処理の実行の待機状態を解除した旨を選択指示受付部２６０に通知する。
【００７５】
一方、検索メニュー「名前」および「電話番号」に対応付けられた２つの操作キーが多重押しされた時点から所定の時間が経過する前に、タッチパネル画面６６０に表示されたアイコン６４０（検索メニュー「電話番号」に対応）がユーザにより押された場合には、選択指示受付部２６０は、検索メニュー「電話番号」に対応付けられた操作キーを示す選択操作キー情報を操作制御部２２０に出力する。
【００７６】
これを受けて、操作制御部２２０の第１処理実行制御部は、検索メニュー「名前」のメニュー起動処理を取り消すための操作信号をナビゲーション装置１６０ａに出力する。また、第２処理実行制御部は、検索メニュー「電話番号」のメニュー起動処理を行うための操作信号をナビゲーション装置１６０ａに出力する。これにより、ナビゲーション装置１６０ａは、検索メニュー「名前」の起動処理を取り消して検索メニュー「電話番号」を起動した画面画像を生成して表示パネル２８０に表示する。具体的には、図６（ｄ）に示すように、検索メニュー「名前」に代えて検索メニュー「電話番号」を起動した画面画像が表示される。
【００７７】
以上詳しく説明したように、第２の実施形態では、第１の実施形態と同様に、複数の操作キーを多重押ししてしまうことによりユーザの意図しない操作キーに対応付けられた文字入力処理（または検索メニュー起動処理）が間違って実行されたとしても、わざわざ前の操作画面に戻って意図する操作キーを押し直すことなく、多重押しの後に続けてアイコン５４０，６４０を押すことにより、意図しない文字入力処理（または検索メニュー起動処理）の実行を取り消して、意図する操作キーに対応付けられた文字入力処理（または検索メニュー起動処理）を実行し直すことができる。これにより、ユーザにとって無駄な操作をできるだけなくし、ユーザの利便性を向上させることができる。
【００７８】
次に、本発明の第３の実施形態を図面に基づいて説明する。図７は、第３の実施形態によるタッチパネル入力装置１２０を含む音楽再生システム１００ｂの構成例を示すブロック図である。なお、この図７において、図１に示した符号と同一の符号を付したものは同一の機能を有するものであるので、ここでは重複する説明を省略する。第３の実施形態においては、図１のＤＶＤ再生装置１６０の代わりに音楽再生装置１６０ｂを備えている。
【００７９】
音楽再生装置１６０ｂは、複数の操作キー（リスト表示された複数の楽曲のうちいずれかの楽曲を選択するためのキー）を含む楽曲選択画面画像を生成し、その表示パネル２８０上での表示を制御する。また、ディスプレイ１４０を構成する表示パネル２８０は、音楽再生装置１６０ｂにより生成された楽曲選択画面画像を表示する。
【００８０】
図８は、第３の実施形態によるタッチパネル入力装置１２０の表示パネル２８０に表示されるタッチパネル画面の一例を示す図である。図８（ａ）において、タッチパネル画面７００には、検索された複数の楽曲のうちいずれかの楽曲を選択するための操作キー（楽曲「ＡＡＡ」、「ＢＢＢ」および「ＣＣＣ」）が表示されている。ユーザは、いずれかの操作キー（楽曲）に割り当てられた領域内の任意位置を押すことで、ユーザが意図する楽曲再生処理を実行することができる。
【００８１】
ここで、ユーザが意図に反して楽曲「ＡＡＡ」および「ＢＢＢ」に対応付けられた２つの操作キーを多重押ししてしまった場合（ユーザの指７２０を参照）には、状態判定部２００は、楽曲「ＡＡＡ」および「ＢＢＢ」に対応付けられた２つの操作キーを示す２つの操作キー情報を操作制御部２２０に出力する。操作制御部２２０の第１処理実行制御部は、状態判定部２００から入力した２つの操作キー情報により示される２つの操作キーのうち優先順位が高い方の操作キーを選択し、当該選択した操作キーに応じた楽曲再生処理を行うように制御する操作信号を音楽再生装置１６０ｂに出力する。
【００８２】
図８（ｂ）に示す例では、上記した優先順位テーブルに従って、楽曲「ＡＡＡ」の再生処理を行うように音楽再生装置１６０ｂを制御する操作信号が操作制御部２２０により出力される。音楽再生装置１６０ｂは、操作制御部２２０から操作信号を入力し、楽曲「ＡＡＡ」を再生する楽曲再生画面画像を生成して表示パネル２８０に表示する。
【００８３】
図８（ａ）のように多重押しがされた場合、状態判定部２００は、楽曲「ＡＡＡ」および「ＢＢＢ」に対応付けられた操作キーを示す２つの操作キー情報を待機部２４０に出力する。また、操作制御部２２０は、第１処理実行制御部により選択された楽曲「ＡＡＡ」に対応付けられた操作キーを示す実行操作キー情報を待機部２４０に出力する。これを受けて、待機部２４０は、多重押しされた他の楽曲「ＢＢＢ」に対応付けられた操作キーに応じた楽曲再生処理の実行がユーザに選択指示されるのを待機する状態に設定する。図８（ｂ）に示すように、楽曲「ＢＢＢ」に対応付けられた操作キーに応じた楽曲再生処理の実行をユーザに選択させるためのアイコン７４０をタッチパネル画面７６０に表示する。また、待機部２４０は、楽曲「ＢＢＢ」に対応付けられた操作キーを示す待機状態操作キー情報を選択指示受付部２６０に出力する。
【００８４】
もし、楽曲「ＡＡＡ」および「ＢＢＢ」に対応付けられた２つの操作キーが多重押しされた時点から、タッチパネル画面７６０に表示されたアイコン７４０が押されることなく所定の時間（２秒）が経過した場合には、待機部２４０は、タッチパネル画面７６０に表示していたアイコン７４０を消去するとともに待機状態の設定を解除する。具体的には、図８（ｃ）に示すように、タッチパネル画面７６０に表示されていたアイコン７４０が消去される（待機部２４０により設定された待機状態が解除される）。そして、待機部２４０は、楽曲「ＢＢＢ」に対応付けられた操作キーに応じた楽曲再生処理の実行の待機状態を解除した旨を選択指示受付部２６０に通知する。
【００８５】
一方、楽曲「ＡＡＡ」および「ＢＢＢ」に対応付けられた２つの操作キーが多重押しされた時点から所定の時間が経過する前にタッチパネル画面７６０に表示されたアイコン７４０（楽曲「ＢＢＢ」に対応）がユーザにより押された場合には、選択指示受付部２６０は、楽曲「ＢＢＢ」に対応付けられた操作キーを示す選択操作キー情報を操作制御部２２０に出力する。
【００８６】
これを受けて、操作制御部２２０の第１処理実行制御部は、楽曲「ＡＡＡ」の楽曲再生処理を取り消すための操作信号を音楽再生装置１６０ｂに出力する。また、第２処理実行制御部は、楽曲「ＢＢＢ」の楽曲再生処理を行うための操作信号を音楽再生装置１６０ｂに出力する。これにより、音楽再生装置１６０ｂは、楽曲「ＡＡＡ」の再生処理を取り消して楽曲「ＢＢＢ」を再生する楽曲再生画面画像を生成して表示パネル２８０に表示する。具体的には、図８（ｄ）に示すように、楽曲「ＡＡＡ」に代えて楽曲「ＢＢＢ」を再生する楽曲再生画面画像がタッチパネル画面７８０に表示される。
【００８７】
以上詳しく説明したように、第３の実施形態では、第１の実施形態と同様に、複数の操作キーを多重押ししてしまうことによりユーザの意図しない操作キーに対応付けられた楽曲再生処理が間違って実行されたとしても、わざわざ前の操作画面に戻って意図する操作キーを押し直すことなく、多重押しの後に続けて、アイコン７４０を押すことにより、複数の操作キーの多重押しによる意図しない楽曲再生処理の実行を取り消して、意図する操作キーに対応付けられた楽曲再生処理を実行し直すことができる。これにより、ユーザにとって無駄な操作をできるだけなくし、ユーザの利便性を向上させることができる。
【００８８】
次に、本発明の第４の実施形態を図面に基づいて説明する。図９は、第４の実施形態によるタッチパネル入力装置１２０を含むＤＶＤ再生システム１００ｃの構成例を示すブロック図である。なお、この図９において、図１に示した符号と同一の符号を付したものは同一の機能を有するものであるので、ここでは重複する説明を省略する。
【００８９】
第４の実施形態において、ＤＶＤ再生システム１００ｃは、図１のＤＶＤ再生装置１６０の代わりにＤＶＤ再生装置１６０′を備えている。タッチパネル入力装置１２０は、図１の操作制御部２２０の代わりに操作制御部２２０′を備えている。また、タッチパネル入力装置１２０は、図１の待機部２４０の代わりに待機部２４０′を備えている。また、タッチパネル入力装置１２０は、図１の選択指示受付部２６０の代わりに選択指示受付部２６０′を備えている。
【００９０】
操作制御部２２０′の第１処理実行制御部は、状態判定部２００から複数の操作キー情報を入力した場合（すなわち、タッチパネル３００に対して多重押しがされた場合）には、当該複数の操作キー情報により示される複数の操作キーに応じたそれぞれの映像再生処理を行うように制御する操作信号をＤＶＤ再生装置１６０′に出力する。ＤＶＤ再生装置１６０′は、複数の操作キーに応じたそれぞれの映像再生処理に必要な複数のＤＶＤ再生画面画像を生成し、当該複数のＤＶＤ再生画面画像を表示パネル２８０上で多分割表示するように制御する。
【００９１】
また、操作制御部２２０′は、待機部２４０′により待機状態に設定されているときに、選択指示受付部２６０′から選択操作キー情報を入力する。操作制御部２２０′は、選択操作キー情報を入力した場合、当該入力した選択操作キー情報に示される操作キーに応じた映像再生処理を行うように制御する操作信号をＤＶＤ再生装置１６０′に出力する。なお、操作制御部２２０′は実行操作キー情報を待機部２４０に出力しない。それは、待機部２４０′では、複数の操作キー情報を入力した場合、当該複数の操作キー情報により示される複数の操作キーすべてに応じた映像再生処理の実行がユーザに選択指示されるのを待機するため、どの操作キーに対応した処理が実行中でどの操作キーに対応した処理が実行中でないかを把握する必要がないからである。
【００９２】
待機部２４０′は、状態判定部２００により多重押しが検知された場合に、状態判定部２００から複数の操作キー情報を入力する。複数の操作キー情報を入力した場合、待機部２４０′は、当該複数の操作キー情報により示される複数の操作キーに応じた映像再生処理の実行がユーザに選択指示されるのを待機する待機状態とする。例えば、待機部２４０′が状態判定部２００から２つの操作キー情報を入力した場合（すなわち、２つの操作キーが多重押しされた場合）、待機部２４０′は、２つの操作キー情報により示される２つの操作キーに応じた映像再生処理の何れかの実行がユーザに選択指示されるのを待機する状態に設定する。なお、待機部２４０′は、待機状態に設定するときに、待機状態操作キーに応じた映像再生処理の実行をユーザに選択させるためのアイコンを表示パネル２８０に表示しない。また、待機部２４０′は、多分割表示された複数のＤＶＤ再生画面画像をそれぞれ受付領域に設定する。
【００９３】
また、待機部２４０′は、状態判定部２００から入力した複数の操作キー情報を複数の待機状態操作キー情報として選択指示受付部２６０′に出力する。例えば、待機部２４０′が状態判定部２００から２つの操作キー情報を入力した場合、待機部２４０′は、多重押しされた２つの操作キーを示す待機状態操作キー情報を選択指示受付部２６０′に出力する。これにより、選択指示受付部２６０′は、画面が何分割されているかが分かる。すなわち、選択指示受付部２６０′は、分割数に応じた数の受付領域が待機部２４０′により設定されたことを検知する。さらに、選択指示受付部２６０′は、どの受付領域がどのチャプターに対応するかの対応関係も認識する。
【００９４】
例えば、選択指示受付部２６０′が待機部２４０′から２つの待機状態操作キー情報を入力した場合、選択指示受付部２６０′は、２つのＤＶＤ再生画面画像の受付領域が左右２画面表示で、左の方が数字の小さいチャプターのＤＶＤ再生画面画像の受付領域が割り当てられていると認識する。また、選択指示受付部２６０′が待機部２４０′から３つの待機状態操作キー情報を入力した場合、選択指示受付部２６０′は、３つのＤＶＤ再生画面画像が左・中・右の３画面表示で、左の方がより数字の小さいチャプターのＤＶＤ再生画面画像が割り当てられていると認識する。また、選択指示受付部２６０′が待機部２４０′から４つの待機状態操作キー情報を入力した場合、選択指示受付部２６０′は、４つのＤＶＤ再生画面画像がマトリクス画面表示で、左上、右上、左下、右下の順で数字の小さいチャプターのＤＶＤ再生画面画像の受付領域に割り当てられていると認識する。
【００９５】
選択指示受付部２６０′は、待機部２４０′から複数の待機状態操作キー情報を入力し、当該入力した複数の待機状態操作キー情報に示される複数の操作キーに応じた映像再生処理の実行に関するユーザの選択指示入力を受け付ける。具体的には、選択指示受付部２６０′は、ＤＶＤ再生装置１６０′により表示パネル２８０に多分割画面表示された複数のＤＶＤ再生画面画像（分割画像）の何れかが押された場合に、当該押されたＤＶＤ再生画面画像に対応するチャプターの映像再生処理（全画面表示）の実行に関する選択指示を受け付ける。
【００９６】
具体的に説明すると、ＤＶＤ再生装置１６０′により表示パネル２８０に表示された複数のＤＶＤ再生画面画像のうち何れかに対応するタッチパネル３００上の位置がユーザにより押された場合、操作検出部３２０は、タッチパネル３００上における押下位置を示す押下位置情報を状態判定部２００に出力する。状態判定部２００は、操作検出部３２０から複数の押下位置情報を入力し、当該押下位置情報により示される各受付領域に対応付けられている複数の操作キー情報を選択指示受付部２６０′に出力する。すなわち、選択指示受付部２６０′は、状態判定部２００から複数の操作キー情報を入力した場合に、当該入力した複数の操作キー情報により示される複数の操作キーに応じたチャプターそれぞれの映像再生処理の実行に関する選択指示を受け付ける。
【００９７】
また、選択指示受付部２６０′は、状態判定部２００から入力した操作キー情報を選択操作キー情報として操作制御部２２０′に出力する。操作制御部２２０′が選択指示受付部２６０′から選択操作キー情報を入力した場合、第１処理実行制御部は、先行して操作制御部２２０′の制御により実行されていた複数の映像再生処理を何れも中止するように制御する操作信号をＤＶＤ再生装置１６０′に出力する。また、第２処理実行制御部は、入力した選択操作キー情報に示される操作キーに応じたチャプターの映像再生処理を行うように制御する操作信号をＤＶＤ再生装置１６０′に出力する。
【００９８】
次に、上記のように構成した第４の実施形態によるタッチパネル入力装置１２０の動作の概要について図を用いて説明する。図１０は、第４の実施形態によるタッチパネル入力装置１２０の表示パネル２８０に表示されるタッチパネル画面の一例を示す図である。図１０（ａ）において、タッチパネル画面８００には、いずれかのチャプターの映像再生処理の実行をユーザに選択させるための９つのサムネイル画像（操作キー）が表示されている。ユーザは、いずれかの操作キーに割り当てられた領域内の任意位置を押すことで、ユーザが意図するチャプターの映像再生処理を実行することができる。
【００９９】
ここで、ユーザが「チャプター５」および「チャプター８」に対応付けられた２つの操作キーを意図的に多重押しした場合（ユーザの指８２０を参照）には、状態判定部２００は、「チャプター５」および「チャプター８」に対応付けられた２つの操作キーを示す２つの操作キー情報を操作制御部２２０′に出力する。操作制御部２２０′の第１処理実行制御部は、状態判定部２００から入力した２つの操作キー情報により示される２つの操作キーに応じた映像再生処理（図１０の例では、「チャプター５」および「チャプター８」の映像再生処理）を行うように制御する操作信号をＤＶＤ再生装置１６０′に出力する。操作制御部２２０′から操作信号を入力したＤＶＤ再生装置１６０′は、図１０（ｂ）に示すように、「チャプター５」および「チャプター８」に対応するＤＶＤ再生画面画像を生成して表示パネル２８０のタッチパネル画面８４０およびタッチパネル画面８６０にそれぞれ表示する。
【０１００】
このとき、状態判定部２００は、「チャプター５」および「チャプター８」に対応付けられた操作キーを示す２つの操作キー情報を待機部２４０′に出力する。これを受けて、待機部２４０′は、「チャプター５」および「チャプター８」に対応付けられた操作キーに応じた映像再生処理の実行がユーザに選択指示されるのを待機する状態に設定する。そして、待機部２４０′は、「チャプター５」および「チャプター８」に対応付けられた待機状態操作キー情報を選択指示受付部２６０′に出力する。
【０１０１】
待機状態の設定後に、もし、タッチパネル画面８４０に表示される「チャプター５」に対応するＤＶＤ再生画面画像がユーザに押された場合には、まず、待機部２４０′は、その旨の通知を状態判定部２００から受けて待機状態を解除する。そして、待機部２４０′は、待機状態を解除した旨を選択指示受付部２６０′に通知する。
【０１０２】
次に、選択指示受付部２６０′は、状態判定部２００から入力する押下位置情報に基づいて、「チャプター５」に対応するＤＶＤ再生画面画像が押されたと判定し、「チャプター５」に対応付けられた操作キーを示す選択操作キー情報を操作制御部２２０′に出力する。これを受けて、操作制御部２２０′の第１処理実行制御部は、「チャプター５」および「チャプター８」に対応付けられた操作キーに応じたそれぞれの映像再生処理を中止するための操作信号をＤＶＤ再生装置１６０′に出力する。また、第２処理実行制御部は、「チャプター５」に対応付けられた選択操作キーに応じた映像再生処理を行うための操作信号をＤＶＤ再生装置１６０′に出力する。ＤＶＤ再生装置１６０′は、図１０（ｃ）に示すように、「チャプター５」に対応するＤＶＤ再生画面画像を生成して表示パネル２８０に全画面表示する。
【０１０３】
一方、待機状態の設定後に、タッチパネル画面８６０に表示される「チャプター８」に対応するＤＶＤ再生画面画像がユーザに押された場合には、待機部２４０′は、その旨の通知を受けて、待機状態を解除する。そして、待機部２４０′は、待機状態を解除した旨を選択指示受付部２６０′に通知する。
【０１０４】
次に、選択指示受付部２６０′は、状態判定部２００から入力する押下位置情報に基づいて、「チャプター８」に対応するＤＶＤ再生画面画像が押されたと判定し、「チャプター５」に対応付けられた操作キーを示す選択操作キー情報を操作制御部２２０′に出力する。これを受けて、操作制御部２２０′の第１処理実行制御部は、「チャプター５」および「チャプター８」に対応付けられた操作キーに応じたそれぞれの映像再生処理を中止するための操作信号をＤＶＤ再生装置１６０′に出力する。また、第２処理実行制御部は、「チャプター８」に対応付けられた選択操作キーに応じた映像再生処理を行うための操作信号をＤＶＤ再生装置１６０′に出力する。ＤＶＤ再生装置１６０′は、図１０（ｃ）に示すように、「チャプター８」に対応するＤＶＤ再生画面画像を生成して表示パネル２８０に全画面表示する。
【０１０５】
次に、第４の実施形態におけるタッチパネル入力装置１２０の動作の詳細について図を用いて説明する。図１１は、第４の実施形態によるタッチパネル入力装置１２０の動作例を示すフローチャートである。図１１におけるステップＳ３００の処理は、タッチパネル３００上の各操作キー（サムネイル画像）に割り当てられた領域内の任意位置がユーザに押された場合、状態判定部２００が操作検出部３２０から出力された押下位置情報を入力することによって開始する。
【０１０６】
まず、状態判定部２００は、タッチパネル３００に対して多重押しがされたか否かについて判定する（ステップＳ３００）。もし、タッチパネル３００に対して多重押しがされていないと状態判定部２００にて判定した場合（ステップＳ３００にてＮＯ）、状態判定部２００は、操作検出部３２０から入力した押下位置情報に対応付けられた操作キー情報を操作制御部２２０′に出力する。そして、操作制御部２２０′は、状態判定部２００から入力した複数の操作キー情報に示される操作キーに応じたチャプターの映像再生処理を行うように制御する操作信号をＤＶＤ再生装置１６０′に出力する（ステップＳ３２０）。ステップＳ３２０における処理が終了した後、タッチパネル入力装置１２０における処理は終了する。
【０１０７】
一方、タッチパネル３００に対して多重押しがされたと状態判定部２００にて判定した場合（ステップＳ３００にてＹＥＳ）、状態判定部２００は、複数の操作キー情報を操作制御部２２０′に出力する。操作制御部２２０′の第１処理実行制御部は、多重押しされた複数の操作キーに応じたそれぞれの映像再生処理を行うように制御する操作信号をＤＶＤ再生装置１６０′に出力する（ステップＳ３４０）。
【０１０８】
次に、待機部２４０′は、多重押しされた複数の操作キーに応じた映像再生処理の何れかの実行がユーザに選択指示されるのを待機する待機状態とする（ステップＳ３６０）。例えば、待機部２４０′が状態判定部２００から２つの操作キー情報を入力した場合、待機部２４０′は、２つの操作キー情報により示される２つの操作キーに応じた映像再生処理の何れかの実行がユーザに選択指示されるのを待機する状態に設定する。
【０１０９】
次に、操作制御部２２０′は、待機状態操作キーに応じた映像再生処理の実行に関するユーザの選択指示が選択指示受付部２６０′により受け付けられたか否かについて判定する（ステップＳ３８０）。もし、選択指示受付部２６０′によりユーザの選択指示が受け付けられていないと操作制御部２２０′にて判定した場合（ステップＳ３８０にてＮＯ）、ステップＳ３８０に戻る。
【０１１０】
一方、選択指示受付部２６０′によりユーザの選択指示が受け付けられたと操作制御部２２０′にて判定した場合（ステップＳ３８０にてＹＥＳ）、待機部２４０′は待機状態の設定を解除する（ステップＳ４００）。次に、操作制御部２２０′の第１処理実行制御部は、ステップＳ３４０にて実行された映像再生処理の中止を制御するための制御信号をＤＶＤ再生装置１６０′に出力する（ステップＳ４２０）。最後に、操作制御部２２０′は、ステップＳ３８０にて選択された映像再生処理を行うように制御する操作信号をＤＶＤ再生装置１６０′に出力する（ステップＳ４４０）。ステップＳ４４０における処理が終了した後、タッチパネル入力装置１２０における処理は終了する。
【０１１１】
以上詳しく説明したように、第４の実施形態では、どの操作キー（サムネイル画像）が目的のチャプターなのかわからない場合、ある程度あたりをつけて複数の操作キーを多重押しすれば、多重押しした複数の操作キーに対応付けられたチャプターの映像が多分割表示される。このとき、多分割表示された映像の何れかを画面のタッチにより選択できる状態となっている。よって、多重押しにより目的のチャプターがどれなのか確認して、その多重押しに続けて、意図する映像の受付領域を押下することにより、わざわざ前の操作画面に戻って別の操作キーを押し直すことなく、ユーザの意図する目的の映像再生処理を実行することができる。よって、ユーザの意図するチャプターがどれなのか確認してから映像再生するとき、ユーザにとって無駄な操作をできるだけなくし、ユーザの利便性を向上させることができる。
【０１１２】
なお、第４の実施形態では、操作画面において意図する操作キーを押すことでＤＶＤに収録済みの映画のチャプターを再生する例について説明したが、操作画面において意図する操作キーを押すことで放送局から受信した放送データを再生するようにしても良い。具体的には、ＤＶＤ再生装置１６０’に代えてＴＶチューナーを備える。ＴＶチューナーは、いずれかの放送局から受信した放送データの再生処理の実行をユーザに選択させるための複数（例えば、９つ）の動画像または静止画像（操作キー）をタッチパネル画面（操作画面）に表示するように制御する（マルチウィンドウ）。ユーザは、いずれかの操作キーに割り当てられた領域内の任意位置を押すことで、ユーザが意図する放送局から受信した放送データの再生処理を実行することができる。
【０１１３】
次に、本発明の第５の実施形態を図面に基づいて説明する。図１２は、第５の実施形態によるタッチパネル入力装置１２０を含むＤＶＤ再生システム１００ｄの構成例を示すブロック図である。なお、図１２において、図１および１０に示した符号と同一の符号を付した構成要素は同様の機能を有するものであるので、ここでは重複する説明を省略する。
【０１１４】
第５の実施形態では、モード切り替え部３４０を備えている点に特徴がある。ＤＶＤ再生装置１６０′′は、ＤＶＤ再生装置１６０とＤＶＤ再生装置１６０′の機能を備えている。操作制御部２２０′′は、操作制御部２２０と操作制御部２２０′の機能を備えている。また、待機部２４０′′は、待機部２４０と待機部２４０′の機能を備えている。また、選択指示受付部２６０′′は、選択指示受付部２６０と選択指示受付部２６０′の機能を備えている。モード切り替え部３４０は、操作制御部２２０、待機部２４０および選択指示受付部２６０の機能（第１の実施形態）を使うか、操作制御部２２０′、待機部２４０′および選択指示受付部２６０′の機能（第４の実施形態）を使うかを切り替える。
【０１１５】
これにより、いずれかのチャプターを選択して映像再生処理を実行する場合に、通常の選択を行うのか、または、あえて多重押しをして複数のチャプターの映像を確認してから選択するのかによって、ユーザが意図するタッチパネル入力装置１２０の実行形態を簡便に切り替えることができる。
【０１１６】
なお、上記第１から第３の実施形態では、待機部２４０により表示パネル２８０に表示されたアイコンがユーザに押された場合に、選択指示受付部２６０が当該押されたアイコンに対応付けられた処理の実行に関する選択指示を受け付ける例について説明したが、これに限定されない。例えば、選択指示受付部２６０は、待機状態操作キーに対応付けられた処理の実行をユーザに選択指示させるための音声コマンドが入力された場合に、当該入力された音声コマンドに対応付けられた処理の実行に関する選択指示を受け付けるようにしても良い。この場合、待機部２４０は、表示パネル２８０にアイコンを表示しない。
【０１１７】
このとき使用する音声コマンドは、例えば、ユーザの発声で「次」等のコマンドだけで良い。この場合、選択指示受付部２６０は、待機状態操作キーが複数存在するときは、音声コマンド辞書に登録された「次」という音声コマンドを入力するたびに、複数の待機状態操作キーに対応付けられた処理の実行に関する選択指示を順番に受け付ける。このようにすれば、全ての操作キーに応じた音声コマンドを用意する場合に比べて、音声コマンドの数を減らすことができ、音声コマンドに必要な辞書のデータ量を減らすことができる。
【０１１８】
また、上記第１〜第５の実施形態では、タッチパネル入力装置１２０を含むシステムとして、ＤＶＤ再生システム、ナビゲーションシステム、楽曲再生システムを例に挙げて説明したが、タッチパネル入力装置１２０は他のシステムに含めて構成するようにしても良い。
【０１１９】
その他、上記第１〜第５の実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【０１２０】
【図１】第１の実施形態によるタッチパネル入力装置の構成例を説明するブロック図である。
【図２】第１の実施形態による表示パネルに表示されるタッチパネル画面の一例を示す図である。
【図３】第１の実施形態によるタッチパネル入力装置の動作例を示すフローチャートである。
【図４】第２の実施形態によるタッチパネル入力装置の構成例を説明するブロック図である。
【図５】第２の実施形態による表示パネルに表示されるタッチパネル画面の一例を示す図である。
【図６】第２の実施形態による表示パネルに表示されるタッチパネル画面の一例を示す図である。
【図７】第３の実施形態によるタッチパネル入力装置の構成例を説明するブロック図である。
【図８】第３の実施形態による表示パネルに表示されるタッチパネル画面の一例を示す図である。
【図９】第４の実施形態によるタッチパネル入力装置の構成例を説明するブロック図である。
【図１０】第４の実施形態による表示パネルに表示されるタッチパネル画面の一例を示す図である。
【図１１】第４の実施形態によるタッチパネル入力装置の動作例を示すフローチャートである。
【図１２】第５の実施形態によるタッチパネル入力装置の構成例を説明するブロック図である。
【図１３】表示パネルに表示されるタッチパネル画面の一例を示す図である。
【符号の説明】
【０１２１】
１２０  タッチパネル入力装置
２００  状態判定部
２２０，２２０′，２２０′′  操作制御部
２４０，２４０′，２４０′′  待機部
２６０，２６０′，２６０′′  選択指示受付部
【図１】
0005241278.tif 000002
【図２】
0005241278.tif 000003
【図３】
0005241278.tif 000004
【図４】
0005241278.tif 000005
【図５】
0005241278.tif 000006
【図６】
0005241278.tif 000007
【図７】
0005241278.tif 000008
【図８】
0005241278.tif 000009
【図９】
0005241278.tif 000010
【図１０】
0005241278.tif 000011
【図１１】
0005241278.tif 000012
【図１２】
0005241278.tif 000013
【図１３】
0005241278.tif 000014